(57)【要約】【課題】  白色隠蔽層の厚さを薄くしつつ、フィルム体の表面側から見た際の隠蔽度を確保できて画像を鮮明に見ることができるフィルム体を提供することを課題とする。【解決手段】  透明フィルム１の裏面側に画像２が形成され、画像２の裏面側に白色隠蔽層３が形成されているフィルム体において、白色隠蔽層３の裏面側に黒色の平網からなる網状隠蔽層４が形成されていることを特徴とする。【選択図】  図１
2006043905.tif 000002
【特許請求の範囲】
【請求項１】
透明フィルム(１)の裏面側に画像(２)が形成され、画像(２)の裏面側に白色隠蔽層(３)が形成されているフィルム体において、白色隠蔽層(３)の裏面側に光吸収度の高い色の平網からなる網状隠蔽層(４)が形成されていることを特徴とするフィルム体。
【請求項２】
網状隠蔽層(４)の裏面側に別の白色隠蔽層(５)が形成され、この白色隠蔽層(５)の裏面側に裏用の画像(６)が更に形成されている請求項１記載のフィルム体。
【発明の詳細な説明】
【技術分野】
【０００１】
本発明は、裏面側に画像が形成されたフィルム体に関する。
【背景技術】
【０００２】
従来、この種のフィルム体としては、図１０に示すように、透明フィルム５１の裏面５１ｂに画像５２が印刷により形成されたフィルム印刷物が公知である。該フィルム印刷物においては、画像５２を透明フィルム５１の表面５１ａ側から見た際に、フィルム印刷物の向こう側の物が見えない様に隠蔽するために、画像５２の裏面側に白色隠蔽層５３を印刷により多層形成していた。
【発明の開示】
【発明が解決しようとする課題】
【０００３】
しかしながら、上記従来のフィルム印刷物にあっては、所定の隠蔽度を確保するためには白色隠蔽層５３を何層も重ねて形成して白色隠蔽層５３全体としての膜厚を厚くする必要があるという問題があった。
【０００４】
そこで、本発明は、上記従来の問題に鑑みてなされ、白色隠蔽層の厚さを薄くしつつ、フィルム体の表面側から見た際の隠蔽度を確保できて画像を鮮明に見ることができるフィルム体を提供することを課題とする。
【課題を解決するための手段】
【０００５】
本発明は、上記課題を解決すべくなされたものであり、本発明に係るフィルム体は、透明フィルム１の裏面側に画像２が形成され、画像２の裏面側に白色隠蔽層３が形成されているフィルム体において、白色隠蔽層３の裏面側に光吸収度の高い色の平網からなる網状隠蔽層４が形成されていることを特徴とする。尚、本発明において、画像には、絵や図柄の他、文字も含まれる。
【０００６】
該構成のフィルム体にあっては、画像２の裏面側に白色隠蔽層３が形成されているので、画像２をフィルム体の表面側から見た際に、白色隠蔽層３がフィルム体の向こう側にある物を隠蔽する。さらに、白色隠蔽層３の裏面側に光吸収度の高い色の平網からなる網状隠蔽層４が形成されているので、画像２をフィルム体の表面側から見た際に、網状隠蔽層４もフィルム体の向こう側にある物を隠蔽する。
【０００７】
特に、網状隠蔽層４の裏面側に別の白色隠蔽層５が形成され、この白色隠蔽層５の裏面側に裏用の画像６が更に形成されていることが好ましい。裏側の白色隠蔽層５の裏面側に裏用の画像６が形成されていることにより、フィルム体の裏面側から裏用の画像６を見ることになる。その際、網状隠蔽層４の裏面側に裏側の白色隠蔽層５が形成されていることにより、裏側の白色隠蔽層５が表用の画像２やフィルム体の表側にあるものを隠蔽する。さらに、表側の白色隠蔽層３の裏面側に網状隠蔽層４が形成されているので、網状隠蔽層４も表用の画像２等を隠蔽する。従って、網状隠蔽層４と裏側の白色隠蔽層５の相乗効果によって、十分な隠蔽度を確保することができ、裏用の画像６を鮮明に見ることができる。しかも網状隠蔽層４の隠蔽性が強いことにより、裏側の白色隠蔽層５の厚さを薄くすることができる。
【発明の効果】
【０００８】
このように、本発明に係るフィルム体にあっては、白色隠蔽層と網状隠蔽層が共に隠蔽するので、白色隠蔽層の厚さを薄くしつつ、画像をフィルム体の表面側から見た際の隠蔽度を確保できて画像を鮮明に見ることができるという効果を奏する。
【発明を実施するための最良の形態】
【０００９】
以下、本発明に係るフィルム体の一実施形態について図面を参酌しつつ説明する。
図１に、本実施形態におけるフィルム体が示されている。該フィルム体は、透明フィルム１と表用の画像２と表側の白色隠蔽層３と黒色の平網からなる網状隠蔽層４と裏側の白色隠蔽層５と裏用の画像６とを備えている。
【００１０】
透明フィルム１の表面１ａには、蒲鉾状の細長い凸レンズ７が並設状態で密に配設されており、この凸レンズ７の集合がレンチキュラーレンズ８を形成し、これにより透明フィルム１はレンチキュラースクリーンとして構成されている。この透明フィルム１の裏面１ｂは、凹凸がなく平坦である。
【００１１】
この透明フィルム１の裏面１ｂに、表用の画像２が印刷により形成されている。透明フィルム１はレンチキュラースクリーンであり、表面１ａには画像を印刷により形成することが困難であるため、裏面１ｂに表用の画像２が形成されている。この表用の画像２は、シアン(Ｃ)、マゼンダ(Ｍ)、イエロー(Ｙ)、ブラック(Ｂ)の４色のインキを用いてオフセット印刷により形成されている。表用の画像２は、例えば、レンチキュラースクリーンを通して見た際に見る角度を変えると画像が動いて見えるように形成された画像や、見る角度を変えると複数の画像が交互に見えるものや、左目用画像と右目用画像を備えレンチキュラースクリーンを通して見た際に立体的に見える画像などがある。
【００１２】
この表用の画像２の裏面に、表側の白色隠蔽層３が複数層、具体的には２層印刷により形成されている。この表側の白色隠蔽層３は、白色のインキを用いてオフセット印刷によりベタ刷りされたものである。
【００１３】
この表側の白色隠蔽層３の裏面に、黒色の平網からなる網状隠蔽層４が印刷により形成されている。この網状隠蔽層４は、光を吸収する度合いの高い黒色のインキを用いてオフセット印刷により形成されたものであり、平網の網パーセントは５０％である。
【００１４】
この網状隠蔽層４の裏面に、裏側の白色隠蔽層５が複数層、具体的には２層印刷により形成されている。この裏側の白色隠蔽層５は、表側の白色隠蔽層３と同様に、白色のインキを用いてオフセット印刷によりベタ刷りされたものである。
【００１５】
この裏側の白色隠蔽層５の裏面に、裏用の画像６が印刷により形成されている。この、裏用の画像６は、例えば、黒色のインキを用いてオフセット印刷により形成された文字であり、表用の画像２がフィルム体の表側から透明フィルム１を介して見るのに対し、裏用の画像６はフィルム体の裏側から直接目視されるものである。
【００１６】
以上の構成からなるフィルム体にあっては、フィルム体の表面側から表用の画像２を見た際に、表用の画像２の裏面に表側の白色隠蔽層３が形成されているので、まず表側の白色隠蔽層３が裏用の画像６やフィルム体の裏側にある物を隠蔽する。
【００１７】
また、この表側の白色隠蔽層３の裏面に網状隠蔽層４が形成されているので、網状隠蔽層４も裏用の画像６やフィルム体の裏側にある物を隠蔽する。従って、表側の白色隠蔽層３と網状隠蔽層４の相乗効果によって、裏用の画像６やフィルム体の裏側にある物を隠蔽することができ、表用の画像２を鮮明に見ることができる。そして、表側の白色隠蔽層３の他に網状隠蔽層４が形成されているので、表側の白色隠蔽層３の層数を減らすことができ、表側の白色隠蔽層３全体としての厚さを薄くすることができる。
【００１８】
このように、表側の白色隠蔽層３と網状隠蔽層４で十分な隠蔽度が確保されているが、本実施形態においては、さらに網状隠蔽層４の裏面に裏側の白色隠蔽層５が形成されていることにより、表側の白色隠蔽層３と網状隠蔽層４による隠蔽性に加え、裏側の白色隠蔽層５も隠蔽性を付加的に発揮することになるので、隠蔽度がさらに増すことになる。
【００１９】
一方、フィルム体の裏面側から裏用の画像６を見た際には、網状隠蔽層４の裏面に裏側の白色隠蔽層５が形成されているので、まず裏側の白色隠蔽層５が表用の画像２やフィルム体の表側にある物を隠蔽する。
【００２０】
また、表側の白色隠蔽層３の裏面に網状隠蔽層４が形成されているので、網状隠蔽層４も表用の画像２やフィルム体の表側にある物を隠蔽する。従って、裏側の白色隠蔽層５と網状隠蔽層４の相乗効果によって、表用の画像２やフィルム体の裏側にある物を隠蔽することができ、裏用の画像６を鮮明に見ることができる。そして、裏側の白色隠蔽層５の他に網状隠蔽層４が形成されているので、裏側の白色隠蔽層５の層数を減らすことができ、裏側の白色隠蔽層５全体としての厚さを薄くすることができる。
【００２１】
また、裏側から見た場合についても表側から見た場合と同様に裏側の白色隠蔽層５と網状隠蔽層４で十分な隠蔽度が確保されているが、本実施形態においては、さらに網状隠蔽層４の表側に表側の白色隠蔽層３が形成されていることにより、裏側の白色隠蔽層５と網状隠蔽層４による隠蔽性に加え、表用の白色隠蔽層３も隠蔽性を付加的に発揮することになるので、隠蔽度がさらに増すことになる。
【００２２】
尚、本実施形態では、透明フィルム１がレンチキュラースクリーンである場合について説明したが、透明フィルム１はレンチキュラースクリーンには限られず、表面１ａに凹凸の加工が施してあるなど、表面１ａに表用の画像２を形成することが困難で、裏面１ｂに表用の画像２を形成する必要があるときに効果的である。ただし、透明フィルム１の表面１ａは平坦であってもよい。
【００２３】
また、上記実施形態では、表側の白色隠蔽層３が２層形成されている場合について説明したが、２層であることには限定されず、図３のように３層であっても、図４のように１層であってもよい。但し、図４の場合に比べ、図３の場合の方が隠蔽度が高い。
【００２４】
同様に、裏側の白色隠蔽層５についても、２層であることには限定されず、図５のように３層であっても、図６のように１層であってもよい。但し、図６の場合に比べ、図５の場合の方が隠蔽度が高い。
【００２５】
尚、図７のように、表側の白色隠蔽層３と裏側の白色隠蔽層５の両方を１層をとしてもよい。
【００２６】
また、上記実施形態では、網状隠蔽層４における平網の網パーセントが５０％である場合について説明したが、網パーセントは５０％以外に、例えば４０％としたり、６０％としてもよい。但し、網パーセントが大きすぎると隠蔽度は増すが、黒色が強く見えすぎる一方、逆に網パーセントが小さすぎると黒色の度合いは抑制されるが隠蔽度が低下するので、網パーセントを５０％とすることにより、必要な隠蔽度の確保と黒色が強くなりすぎないこととのバランスをとることができる。
【００２７】
また、上記実施形態では、網状隠蔽層４の裏面側にさらに裏側の白色隠蔽層５が形成されており、さらに裏側の白色隠蔽層５の裏面側に裏用の画像６が形成されている場合について説明したが、図８のように、裏側の白色隠蔽層５と裏用の画像６が共に形成されていないものであってもよい。また、図９のように、網状隠蔽層４の裏面側に裏側の白色隠蔽層５のみ形成され裏用の画像６が形成されていない場合であってもよい。
【００２８】
尚、表用の画像２を１色としたり、裏用の画像６を多色としてもよい。また、網状隠蔽層４も２層以上形成してもよい。また、実施形態では、網状隠蔽層を黒色としたが、光吸収度の高い色であれば、灰色または紺色等であっても良い。
【図面の簡単な説明】
【００２９】
【図１】本発明の一実施形態に係るフィルム体を示す断面図。
【図２】図１のＡ部の拡大図。
【図３】他の実施形態におけるフィルム体であって、表側の白色隠蔽層を３層とした場合を示す断面図。
【図４】他の実施形態におけるフィルム体であって、表側の白色隠蔽層を１層とした場合を示す断面図。
【図５】他の実施形態におけるフィルム体であって、裏側の白色隠蔽層を３層とした場合を示す断面図。
【図６】他の実施形態におけるフィルム体であって、裏側の白色隠蔽層を１層とした場合を示す断面図。
【図７】他の実施形態におけるフィルム体であって、表側の白色隠蔽層と裏側の白色隠蔽層を共に１層とした場合を示す断面図。
【図８】他の実施形態におけるフィルム体であって、裏側の白色隠蔽層と裏用の画像が共に形成されていない場合を示す断面図。
【図９】他の実施形態におけるフィルム体であって、裏側の白色隠蔽層が形成され裏用の画像が形成されていない場合を示す断面図。
【図１０】従来のフィルム体を示す断面図。
【符号の説明】
【００３０】
１…透明フィルム、１ａ…透明フィルム１の表面、１ｂ…透明フィルム１の裏面、２…画像、３…白色隠蔽層、４…網状隠蔽層、５…白色隠蔽層、６…画像、７…凸レンズ、８…レンチキュラーレンズ、５１…透明フィルム、５１ａ…透明フィルム５１の表面、５１ｂ…透明フィルム５１の裏面、５２…画像、５３…白色隠蔽層
【図１】
2006043905.tif 000003
【図２】
2006043905.tif 000004
【図３】
2006043905.tif 000005
【図４】
2006043905.tif 000006
【図５】
2006043905.tif 000007
【図６】
2006043905.tif 000008
【図７】
2006043905.tif 000009
【図８】
2006043905.tif 000010
【図９】
2006043905.tif 000011
【図１０】
2006043905.tif 000012